(57)【要約】      （修正有）【課題】新たに特別の機器を追加することなく、インターホンシステムが外部の異常を監視する技術を提供する。【解決手段】カメラ付きのインターホン子機とインターホン親機から構成されるインターホンシステムにおいて、前記インターホン子機は、望遠モードによる外部の映像または接写モードによる来訪者の映像を入力するカメラと、外部異常音を監視する外部音監視モードによる外部音または接話モードによる来訪者の音声を入力するマイクと、前記マイクの感度を制御して前記外部音監視モードと前記接話モードを切り替える手段を有する。【選択図】図１
2011114720.tif 000002
【特許請求の範囲】
【請求項１】
インターホン子機と前記インターホン子機を制御するインターホン親機から構成されるインターホンシステムにおいて、
前記インターホン子機は、
来訪者が押下する呼出ボタンと、
外部の映像を入力する外部映像入力モードおよび近傍に居る来訪者の映像を入力する来訪者映像入力モードを有する映像入力手段と、
前記呼出ボタンが押下されると前記映像入力手段が具備するカメラの焦点または撮像範囲を制御して前記映像入力手段のモードを前記外部映像入力モードから前記来訪者映像入力モードに切り替える映像入力モード切替手段と、
を有することを特徴とするインターホンシステム。
【請求項２】
インターホン子機と前記インターホン子機を制御するインターホン親機から構成されるインターホンシステムにおいて、
前記インターホン子機は、
来訪者が押下する呼出ボタンと、
外部の音声を入力する外部音声入力モードおよび近傍に居る来訪者からの音声を入力する来訪者音声入力モードを有する音声入力手段と、
前記呼出ボタンが押下されると前記音声入力手段が具備するマイクの感度または集音範囲を制御して前記外部音声入力モードから前記来訪者音声入力モードに切り替える音声入力モード切替手段と、
を有することを特徴とするインターホンシステム。
【請求項３】
請求項１または２に記載のインターホンシステムにおいて、
前記インターホン親機は
異常音に係る音声信号のサンプルを登録する異常音登録手段と
前記インターホン子機から受信する音声信号と前記異常音登録手段に登録された異常音に係る音声信号のサンプルとを比較して、前記インターホン子機から受信する音声信号中に前記異常音登録手段に登録された異常音に類似した音声信号の有無を検知する異常音検知手段と、を有し、
前記異常音検知手段が異常音に類似した音声信号を検知した場合に、当該異常音が検知した時刻の所定の時間前または直後から、前記インターホン子機から受信する映像信号または音声信号を保存するまたは所定の宛先に送信することを特徴とするインターホンシステム。
【発明の詳細な説明】
【技術分野】
【０００１】
外部異常検知が可能なインターホンシステムに関する。
【背景技術】
【０００２】
従来、防犯機能を実現する上で、異常検知とインターホンシステムの連動については、センサ機能を有する別装置を使用し、それをインターホン親機に接続、連動を行うことで、異常を検知し、また、外部のカメラユニットにより、映像情報を取得するシステムは知られている。
例えば、特許文献１の記載のように、センサ付き通信子機からの受信が可能な通信親機をインターホン親機に接続し、通信子機センサの異常検知信号でカメラを動作させて撮影し、撮影した映像をインターホン親機にて録画を行うことができるといったインターホン装置が提案されているが、これら装置は、個々が防犯装置として機能する装置であり、各装置に対して個別にセンサ装置やカメラ等を増設することで、防犯強化を計る装置である。
【特許文献１】特開2007-104015号公報
【発明の開示】
【発明が解決しようとする課題】
【０００３】
しかしながら、特許文献１に開示された技術は、インターホンシステムとは独立に、相互に無線通信可能な通信子機と通信親機を用意し、外部の異常を検知可能なセンサを通信子機に接続し、検知した異常を通信親機に送信する。さらに外部にカメラユニットを接続して親機の指示により映像を撮影、その結果を親機側で録画し、異常の分析に提供する。したがって、本技術の実施のためには、インターホンシステム以外に通信子機、異常検知センサ、カメラユニット、録画機能を有する通信親機とを必要とし、かなり大がかりなシステムとなるという問題がある。
本発明は係る問題に鑑みなされたものであり、本発明の目的は、新たに特別の機器を追加することなく、インターホンシステムが外部の異常を監視する技術を提供することにある。
【課題を解決するための手段】
【０００４】
上記課題を解決するために、インターホン子機と前記インターホン子機を制御するインターホン親機から構成されるインターホンシステムにおいて、前記インターホン子機は、
来訪者が押下する呼出ボタンと、外部の映像を入力する外部映像入力モードおよび近傍に居る来訪者の映像を入力する来訪者映像入力モードを有する映像入力手段と、前記呼出ボタンが押下されると前記映像入力手段が具備するカメラの焦点または撮像範囲を制御して前記映像入力手段のモードを前記外部映像入力モードから前記来訪者映像入力モードに切り替える映像入力モード切替手段並びに／若しくは、前記インターホン子機は、来訪者が押下する呼出ボタンと、外部の音声を入力する外部音声入力モードおよび近傍に居る来訪者からの音声を入力する来訪者音声入力モードを有する音声入力手段と、前記呼出ボタンが押下されると前記音声入力手段が具備するマイクの感度または集音範囲を制御して前記外部音声入力モードから前記来訪者音声入力モードに切り替える音声入力モード切替手段と、を有することを特徴とする。
【発明の効果】
【０００５】
本発明のインターホンシステムにおいて呼出ボタンが押下されていない場合に、インターホン子機のマイクは外部音声入力モードで集音し、さらに該インターホン子機がカメラを有する場合、該カメラは外部映像入力モードで撮像するので、新たに特別の機器を追加することなく防犯監視システムを実現できる。
【発明を実施するための最良の形態】
【０００６】
以下、本発明を実施するための最良の形態を図面を用いて説明する。
図１は本発明の外部異常検知機能を有するドアホンシステムの構成を示すブロック図である。
図１に示すように、インターホン子機と前記インターホン子機を制御するインターホン親機から構成されるインターホンシステムにおいて、インターホン子機２は、外部の映像または、来訪者の映像を撮像するカメラ２０１、来訪者が呼出時に押下する呼出ボタン２０２、来訪者が在宅者と会話するため、および外部の異常音を聴取するためのマイク２０３、呼出ボタン押下時の呼び出し音および在宅者からの音声を送出するスピーカ２０４、インターホン親機１とインターホン子機２間の接続制御およびインターホン子機２そのものの制御を行う制御部２１０、呼出ボタン押下情報に連動し、カメラ２０１の撮影モードの切替を行う望遠／接写切替制御部２０６、マイク２０３の集音モードの切替を行う外部音監視／接話切替制御部２０７、カメラ２０１からの映像を処理する映像信号入力部２０５、マイク２０３から集音された音信号を処理する音信号入力部２０８、スピーカ２０４への音信号の調整を行う音信号出力部２０９の構成要素を有する。
【０００７】
また、インターホン親機１は、インターホン子機２からの映像を表示するモニタ１０１、インターホン子機２からの呼出に対して応答を行う際に操作する操作部１０２、インターホン子機２からの呼出時に応答後、通話に在宅者の音信号を聴取するためのマイク１０３、インターホン子機２からの呼出があった際に、呼び出し音を送出およびインターホン子機２からの音信号を送出するスピーカ１０４、インターホン子機２からの映像信号、音信号経路切替を行うインターフェース切替部１０６、インターホン子機２との通話切替を行うインターホン部１０７、インターホン子機２からの音信号により異常音検知を行う異常音判定部１０８、異常音検知を行うに当たり異常音判定に使用する異常音登録データを保持している異常音サンプルデータベース部１０９、異常音検知により、一時録画されているデータに対する制御を行う録画制御部１１０、外部異常音検知動作中における外部の録画データを一時的に保存している一時録画部１１１、録画制御部１１０からの制御により一時録画部１１１に保存されていた録画データの抽出を行う特定録画箇所抽出部１１２、録画として保存データを保持する録画保存部１１３、録画保存されたデータを外部に取り出すための外部ＩＦ部１１６、録画保存されたデータをあらかじめ登録した宛先に通報動作を行う通報部１１５、外部に通報するために使用する回線ＩＦ部１１４の構成要素を有する。
【０００８】
以下、図２から図５を用いて、本発明の内容を詳細に説明する。
図２は、来訪者６によるインターホン子機２を呼出時の動作を示すシーケンス図である。
来訪者６によりインターホン子機２の呼出ボタン２０２を押下される（Ｓ３００）と、ボタン押下情報通知（Ｓ３０１）を、インターホン親機１に通知する。インターホン親機１は、ボタン押下情報通知（Ｓ３０１）により、インターホン子機２に対して、カメラの撮影モードの切替を行う望遠／接写切替制御部２０６に接写モード切替命令（Ｓ３０２）、および、マイクの集音モードの切替を行う外部音監視／接話切替制御部２０７に接話モード切替命令（Ｓ３０３）を行い、これにより、インターホン子機２のカメラ２０１および、マイク２０３の動作モードの切替が行われる。
このようにカメラ２０１の動作モードの切り替えと同期して、マイク２０３の動作モードの切り替えを行う場合には、本発明のインターホンシステムは、呼出ボタンが押下されない場合、インターホン子機のカメラは外部映像入力モードで撮像し、マイクは外部音声入力モードで録音するので、新たに特別の機器を追加することなく音声付防犯監視カメラシステムを実現することができるという効果がある。
また、カメラおよび関連映像処理機能を有さないインターホンシステムにおいては、呼出ボタンの押下によってマイク２０３の動作モードのみを切り替えることにより音声のみの防犯監視システムを実現することができるという効果がある。ここで言うカメラおよび関連映像処理機能とは、図１においてカメラ２０１、映像信号入力部２０５、望遠・接写切替制御部２０６、信号加算器２１１、モニタ１０１、一時録画部１１１、録画制御部１１０、特定録画箇所抽出部１１２および録画保存部１１３並びに、図２において、シーケンス接写モードへ切り替えＳ３０２，映像情報Ｓ３０４，親機モニタ画像表示Ｓ３０５、並びに図３における親機モニタ大気表示Ｓ４０２，望遠モード切り替えＳ４０４を言う。以下の説明においても関連の部分は、不要であることは容易に理解されるので、詳細は省略する。
【０００９】
カメラ２０１のレンズは、無限焦点レンズを使用するが、前記望遠／接写切替制御部２０６により焦点あわせのための初期距離設定値を変更することにより、焦点調整のための時間短縮および主要被写体（撮りたいもの）にピントが合わず、ぼけてしまった画像録画の防止をはかる。また、マイク２０３においては、前記外部音監視／接話切替制御部２０７により、マイク感度の変更を行うが、マイク２０３は、無指向性のものを使用することで、インターホン子機２の前面のみだけでなく、周辺の音の集音を可能とする。
【００１０】
カメラ２０１により撮影された映像データは、インターホン親機１に送られ（Ｓ３０４）、呼出ボタンが押下されるとインターホン親機１のモニタ１０１に表示され（Ｓ３０５）、呼び出し音が、インターホン親機１のスピーカ１０４およびインターホン子機２のスピーカ２０４より送出される（Ｓ３０６、Ｓ３０７）。このとき、インターホン親機１の操作部１０２より、応答操作（Ｓ３０８）を行うことで、インターホン親機１と、インターホン子機２間が通話状態（Ｓ３０９）となる。
【００１１】
図３は、インターホン子機２が呼出通話終了時の動作を示すシーケンス図である。
来訪者６と在宅者３による通話状態（Ｓ４００）において、在宅者３による停止操作または、所定時間経過により（Ｓ４０１）、インターホン親機のモニタ１０１は、待機時表示（Ｓ４０２）となり、インターホン親機１と、インターホン子機２間の通話は、切断される（Ｓ４０３）。
【００１２】
また、インターホン子機２に対して、カメラ２０１の撮影モードの切替を行う望遠／接写切替制御部２０６に望遠モード切替命令（Ｓ４０４）、および、マイク２０３の集音モードの切替を行う外部音監視／接話切替制御部２０７に外部音監視モード切替命令（Ｓ４０５）を行い、これにより、インターホン子機２のカメラ２０１、および、マイク２０３のモード切替を行う。
【００１３】
カメラ２０１のレンズは、無限焦点レンズを使用するが、前記望遠／接写切替制御部２０６により焦点あわせのための初期距離設定値を変更することにより、焦点調整のための時間短縮および主要被写体（撮りたいもの）にピントが合わず、ぼけてしまった画像録画の防止をはかる。
【００１４】
また、マイク２０３においては、前記外部音監視／接話切替制御部２０７により、マイク感度の変更を行うがマイクは、無指向性のものを使用することで、インターホン子機２の前面のみだけでなく、周辺の音の集音を可能とする。なお、集音モードの切り替えは、ガンマイク、マイクロフォンアレーの集音技術を用いて、集音範囲（指向性）を制御してもよい。
【００１５】
図４から図１０は、カメラ及び関連映像処理機能を有するインターホンシステムに関する説明図である。
図４は、インターホン子機２による外部異常音検出時の動作を示すシーケンス図である。
インターホン子機２に対して、カメラ２０１の撮影モードの切替を行う望遠／接写切替制御部２０６に望遠モード切替命令（Ｓ５００）、および、マイク２０３の集音モードの切替を行う外部音監視／接話切替制御部２０７に外部音監視モード切替命令（Ｓ５０１）を行い、インターホン子機２のカメラ２０１の撮影モードおよび、マイク２０３の集音モードの切替を行う。
【００１６】
外部音監視モード切替時には、マイク感度のレベルは、事前に設定された外部音を集音するのに適切な感度レベルとなる。このとき、インターホンシステムは、外部異常音検知モードとなる。ここで、外部から異常音が集音されると（Ｓ５０３）、該異常音および異常音発生時の映像信号がインターホン子機２より、インターホン親機１に通知され（Ｓ５０４）、インターホン親機１内の異常音判定部１０８が、該異常音と異常音サンプルとの照合を行う（Ｓ５０５）。
【００１７】
異常音判定部１０８により、異常音か否かの判定を行い（Ｓ５０６）、異常音との判定がされた場合、その時刻前後の撮像された映像を一時録画部１１１から特定録画箇所抽出部１１２によって抽出し、録画保存部１１３に保存する。また、通報部１１５によって、特定録画箇所抽出部１１２で抽出した録画を所定の宛先に送信処理を行う（Ｓ５０８）。これにより、本発明のインターホン親機は異常検知機能を実現し、異常発生時の音声信号および映像信号をインターホン親機において録音、録画し、保存または所定の宛先に送信することで、異常事態の発生に対処する防犯監視カメラシステムを実現する効果がある。
【００１８】
異常音であるとの判定がされなかった場合、撮像された映像データは一時録画部１１１に保存され、所定の時間が経過した映像データは、所定時間毎にオーバーライトされ破棄される。（Ｓ５０７）
【００１９】
通報部１１５には、図示されない宛先記憶部があり、送信する宛先をあらかじめ複数登録ができ、宛先の順番設定も可能である。たとえば、宛先Ａに正常に配信できなかった場合は、宛先Ｂに配信処理を行う。以降所定の登録数の宛先に巡視配信処理することが可能である。
【００２０】
図５は、インターホン子機２による異常音サンプル音のデータベース登録動作を示すシーケンス図である。
インターホン子機２から操作者７により、特定操作を行う（Ｓ６００）。特定操作が行われたことを制御部２１０で検出し、特定操作通知（Ｓ６０１）が、インターホン親機１の制御部１０５に送信される。
【００２１】
また、同様に、操作者７により、インターホン親機１の操作部１０２より特定操作を行うことでも可能である（Ｓ６０２）。
【００２２】
ここで、特定操作の手段として、インターホン子機２からの操作としては呼出ボタン２０２を一定時間長押しすること、またインターホン親機１からの操作としては操作部１０２の所定のボタンを一定時間長押しすることで、異常音サンプル音のデータベース登録動作に移行することを可能とするが、前述の手段は一例でありその他操作でも可能である。
【００２３】
特定操作通知（Ｓ６０１）により、インターホン親機１の制御部１０５は、インターホン子機２に対して、カメラ２０１の撮影モードの切替を行う望遠／接写切替制御部２０６に接写モード切替命令（Ｓ６０３）、およびに、マイク２０３の集音モードの切替を行う外部音監視／接話切替制御部２０７に接話モード切替命令（Ｓ６０４）を送付する。
【００２４】
これにより、インターホン子機２のカメラ２０１、マイク２０３のモード切替が行われる。また、インターホン親機１の制御部１０５は、インターホン部１０７に対して、異常音登録動作モードを設定し、所定の時間登録待ち状態を継続する（Ｓ６０８）。このとき、インターホン子機２より、登録したい異常音サンプル音（Ｓ６０５）として、例えば、「自動車の急ブレーキ時の音」や、「女性の悲鳴」などのサンプル音を入力することで（Ｓ６０６）、入力された異常音サンプルは、インターホン親機１のインタ−ホン部１０７に伝達され（Ｓ６０７）、インターホン部１０７によって、異常音サンプルデータベース部１０９に異常音サンプル一時登録が行われる（Ｓ６０９）。
【００２５】
異常音サンプルデータベース部１０９に一時登録された異常音データは、操作者７が最終的な意思を表示のための登録操作（Ｓ６１１）を行うと、登録要否の判定が行われる（Ｓ６１０）。最終的意思表示としての登録操作として「登録判定を登録する」を選択すると登録処理が行われ登録操作が終了する（Ｓ６１３）。「登録判定時に登録しない」を選択すると異常音サンプルとして一時登録された異常音データは破棄され、登録動作は終了する。（Ｓ６１２）
【００２６】
図６は、インターホン子機２の望遠／接写切替部動作２０６（来訪者６によるインターホン子機２の呼出ボタン２０２押下時）を示すシーケンス図である。
来訪者６によりインターホン子機２の呼出ボタン２０２が押下される（Ｓ３００）と、ボタン押下情報通知（Ｓ３０１）を、インターホン親機１に通知する。インターホン親機１の制御部１０５は、ボタン押下情報通知（Ｓ３０１）を受信すると、インターホン子機２に対して、カメラ２０１の撮影モードの切替を行う望遠／接写切替制御部２０６に接写モード切替命令（Ｓ３０２）、および、マイク２０３の集音モードの切替を行う外部音監視／接話切替制御部２０７に接話モード切替命令（Ｓ３０３）を送信し、これにより、インターホン子機２のカメラ２０１、マイク２０３のモード切替が行われる。
【００２７】
カメラ２０１のレンズは、無限焦点レンズを使用するが、前記望遠／接写切替制御部２０６により焦点あわせのための初期距離設定値を変更し（Ｓ３０２１）、焦点調整を行う（Ｓ３０２２）。これにより、焦点合わせのための時間短縮および主要被写体（撮りたいもの）にピントが合わず、ぼけてしまった画像録画の防止をはかる。また、マイク２０３においては、前記外部音監視／接話切替制御部２０７により、マイク感度の変更（Ｓ３０３１）を行うがマイク特性は、無指向性のものを使用することで、インターホン子機２の前面のみだけでなく、周辺の音の集音を可能とする。
【００２８】
以上、本発明のインターホンシステムの動作原理について詳細にのべたが、本発明によれば、インターホン親機、子機以外に特別の装置を設置することなく、防犯監視カメラ機能が実現し、また、本提案のインターホン装置を例えば集団住宅の全住宅に設置することで、各インターホン子機が該集合住宅の全地域をカバーする広範な監視カメラとして機能し、親機に録画された異常音検出時の解析によって、設置された地域の防犯システムとしての役目を果たすことも可能である。  
【００２９】
図７〜図９は、インターホン親機動作を示すフローチャートである。
【００３０】
インターホン親機１は、インターホン子機２からの呼出ボタン押下通知がなかった場合（Ｓ７０１，Ｎｏ）、さらに、所定の特定操作がなかった場合（Ｓ７２１，Ｎｏ）は、インターホン子機２に対して、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行う（Ｓ７３１）。
【００３１】
このとき、外部異常音があるか否かを判定（Ｓ７３２）にて外部異常音がない場合（Ｓ７３２，Ｎｏ）には、インターホン子機２からの映像信号、音信号の一時録画動作（Ｓ７３６）を行い、再度、呼出ボタン押下通知がないかの判定処理（Ｓ７０１）に戻る。
【００３２】
前術の外部異常音があるか否かを判定（Ｓ７３２）にて外部異常音がある場合には（Ｓ７３２，Ｙｅｓ）、インターホン子機２からの映像信号、音信号が一時保存されている一時録画部１１１に保存されたデータより、所定時間の過去データより抽出を行い（Ｓ７３３）、先に登録された外部異常音がある場合の動作設定により、通報または、記録時それぞれの処理を行う。（Ｓ７３４）
【００３３】
ここで、通報が設定されていた場合には、通報動作の処理動作（Ｓ７３７）として、インターホン親機１の通報部１１５および回線ＩＦ部１１４より、記録した録画データの配信を行う。
【００３４】
また、記録が設定されていた場合には、記録動作の処理動作（Ｓ７３７）として、インターホン親機１の録画保存部１１３に記録した録画データが保存される。
【００３５】
インターホン親機１は、インターホン子機２からの呼出ボタン押下通知がなかった場合（Ｓ７０１,Ｎｏ）、さらに、所定の特定操作が行われた場合（Ｓ７２１，Ｙｅｓ）は、インターホン子機２に対して、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行う（Ｓ７２２）。
【００３６】
このとき、外部異常音として登録するサンプル音をインターホン子機２のマイク２０３より入力し（Ｓ７２３）、一定時間の間に入力する（Ｓ７２４）。
【００３７】
登録操作の完了後、前に登録操作をしたサンプル音が自動再生され保存するか否かの再確認を行い（Ｓ７２５）、異常音サンプルとして登録する場合は、一定時間ないに再度呼出ボタンの押下により登録（Ｓ７２６）し、一定時間内に呼出ボタンの押下がされない場合は、登録せずに待ち状態となる。
【００３８】
インターホン親機１は、インターホン子機２からの呼出ボタン押下通知があった場合（Ｓ７０１，Ｙｅｓ）は、インターホン子機２に対して、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に接写モード切替命令、およびに、マイク２０３の集音モードの切替を行う外部音監視／接話切替制御部２０７に接話モード切替命令を行う（Ｓ７０２）。
【００３９】
その後、インターホン子機２より、映像情報を取得し、インターホン親機１のモニタ１０１に取得映像を表示（Ｓ７０３）および呼び出し音の送出をインターホン子機２や、インターホン親機１に対して行い（Ｓ７０４）、インターホン子機２からの呼出に対して応答待ち状態（Ｓ７０５）となる。
【００４０】
ここで、一定時間内に応答操作を行わない場合には（Ｓ７０８，Ｙｅｓ）、モニタを待機状態（Ｓ７０９）とし、通話路の切断（Ｓ７１０）を行った後、インターホン子機２に対して外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行う（Ｓ７１１）。
【００４１】
また、応答操作を行った場合（Ｓ７０５，Ｙｅｓ）には、インターホン子機２との通話状態となり（Ｓ７０６）、終了操作を行わないか（Ｓ７０７，Ｎｏ）、一定の時間が経過しない間は（Ｓ７０８，Ｎｏ）、通話を継続する。終了操作が行われた場合には、モニタを待機状態（Ｓ７０９）とし、通話路の切断（Ｓ７１０）を行った後、インターホン子機２に対して外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行い（Ｓ７１１）待ち状態となる。
【００４２】
図１０は、インターホン子機動作を示すフローチャートである。
【００４３】
インターホン子機２は、呼出ボタンが押下されたか否か（Ｓ８０１）により、呼出ボタンが押下されない場合（Ｓ８０１，Ｎｏ）、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行い、これにより、インターホン子機２のカメラ２０１、マイク２０３のモード切替を行い（Ｓ８０８）、外部音監視状態（Ｓ８０９）として、監視状態となる。
【００４４】
インターホン子機２は、呼出ボタンが押下されたか否か（Ｓ８０１）により、呼出ボタンが押下された場合（Ｓ８０１，Ｙｅｓ）、呼出ボタン押下情報をインターホン親機２に通知を行い（Ｓ８０２）、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に接写モード切替命令、およびに、マイク２０３の集音モードの切替を行う外部音監視／接話切替制御部２０７に接話モード切替命令を行い、これにより、インターホン子機２のカメラ２０１、マイク２０３のモード切替を行う（Ｓ８０３）。
【００４５】
その後、インターホン子機２のカメラ２０１およびマイク２０３により得られる映像信号や音信号は、インターホン親機１に出力し（Ｓ８０４）、インターホン親機１とは片通話状態となる。
【００４６】
また、インターホン親機１は、前述のインターホン子機１からの呼出ボタン押下情報通知（Ｓ８０２）により、呼出音をインターホン子機２に送出し、インターホン子機２のスピーカ２０４より呼出音が送出される。
【００４７】
このとき、在宅者により、インターホン親機１の操作部１０２により応答し、インターホン親機１のインターホン部１０７，インターフェース切替部１０６の経路接続が行われると、インターホン親機１とインターホン子機２間は通話状態となる（Ｓ８０６）。
また、一定時間の間に在宅者により、インターホン親機１の操作部１０２により応答操作がされなかった場合は、インターホン親機１より、インターホン子機２の制御部２１０に通知を行い（Ｓ８０７）、通話経路の切断と、外部の映像または、来訪者の映像を撮像するカメラ２０１、来訪者が在宅者と会話するため、および外部の異常音を聴取するためのマイク２０３に対して、カメラ２０１の撮影モードの切替を行う望遠／接写切替制御部２０６に望遠モード切替命令、およびに、マイク２０３の集音モードの切替を行う外部音監視／接話切替制御部２０７に外部音監視モード切替命令を行い、これにより、インターホン子機２のカメラ２０１、マイク２０３のモード切替を行い（Ｓ８０８）、外部音監視状態（Ｓ８０９）として、監視状態となる。
【図面の簡単な説明】
【００４８】
【図１】本発明のインターホンシステムの構成を示すブロック図である。
【図２】来訪者によるインターホン子機呼出時動作を示すシーケンス図である。
【図３】インターホン子機呼出通話終了時動作を示すシーケンス図である。
【図４】インターホン子機による外部異常音検出時動作を示すシーケンス図である。
【図５】インターホン子機による異常音サンプル音のデータベース登録動作を示すシーケンス図である。
【図６】インターホン子機の望遠／接写切替部動作（来訪者によるインターホン子機呼出ボタン押下時）を示すシーケンス図である。
【図７】、
【図８】、
【図９】インターホン親機動作を示すフローチャートである。
【図１０】インターホン子機動作を示すフローチャートである。
【符号の説明】
【００４９】
１：インターホン親機
２：インターホン子機
１０１：モニタ
１０２：操作部
１０３：マイク
１０４：スピーカ
１０５：制御部
１０６：インターフェース切替部
１０７：インターホン部
１０８：異常音判定部
１０９：異常音サンプルデータベース部
１１０：録画制御部
１１１：一時録画部
１１２：特定録画箇所抽出部
１１３：録画保存部
１１４：回線ＩＦ部
１１５：通報部
１１６：外部ＩＦ部
２０１：カメラ
２０２：呼出ボタン
２０３：マイク
２０４：スピーカ
２０５：映像信号入力部
２０６：望遠／接写切替制御部
２０７：外部音監視／接話切替制御部
２０８：音信号入力部
２０９：音信号出力部
２１０：制御部
２１１：加算器部
【図１】
2011114720.tif 000003
【図２】
2011114720.tif 000004
【図３】
2011114720.tif 000005
【図４】
2011114720.tif 000006
【図５】
2011114720.tif 000007
【図６】
2011114720.tif 000008
【図７】
2011114720.tif 000009
【図８】
2011114720.tif 000010
【図９】
2011114720.tif 000011
【図１０】
2011114720.tif 000012